(57)【特許請求の範囲】
【請求項１】
第１チャンネル音声データが入力される入力手段と、
ユーザ操作に応じてダイレクトモードをオン状態又はオフ状態に設定するモード設定手
段と、
前記第１チャンネル音声データから、前記第１チャンネル音声データ及び第２チャンネ
ル音声データを生成する音声処理手段と、
ダイレクトモードがオン状態に設定されている場合に、前記音声処理手段による前記生
成処理が実行されず、前記第１チャンネル音声データを第１チャンネルスピーカーに出力
し、前記第２チャンネル音声データを第２チャンネルスピーカーに出力せず、ダイレクトモードがオフ状態に設定されている場合、前記音声処理手段による前記生成処理が実行され、前記第１チャンネル音声データを前記第１チャンネルスピーカーに出力し、前記第２チャンネル音声データを前記第２チャンネルスピーカーに出力する出力手段と、
ユーザ操作に応じて前記第２チャンネルスピーカーの使用有無を設定するスピーカー設定手段と、
前記第２チャンネルスピーカーの使用有無設定が使用有に設定されているか否かを判断する判断手段と、
前記第２チャンネルスピーカーの使用有無設定が使用有に設定されていると判断された場合、前記ユーザ操作に応じてダイレクトモードがオフ状態からオン状態に設定されることを禁止し、前記第２チャンネルスピーカーの使用有無設定が使用無に設定されていると判断された場合、前記ユーザ操作に応じてダイレクトモードがオフ状態からオン状態に設定されることを許可する設定制御手段とを備える、音声処理装置。
【請求項２】
ユーザ操作に応じてダイレクトモードをオン状態又はオフ状態に設定するためのダイレ
クトモード設定画面を表示する表示手段をさらに備え、
前記第２チャンネルスピーカーの使用有無設定が使用有に設定されていると判断された場合、前記設定制御手段が、前記ダイレクトモード設定画面を前記表示手段に表示させず、前記第２チャンネルスピーカーの使用有無設定が使用無に設定されていると判断された場合、前記設定制御手段が、前記ダイレクトモード設定画面を前記表示手段に表示させる、請求項１に記載の音声処理装置。
【請求項３】
前記判断手段が、前記第２チャンネルスピーカーの使用有無設定が使用無から使用有に変更されたか否かをさらに判断し、ダイレクトモードがオン状態に設定されている際に、前記第２チャンネルスピーカーの使用有無設定が使用無から使用有に変更されたと判断された場合、前記設定制御手段が、ダイレクトモードをオン状態からオフ状態に設定変更させる、請求項１または２に記載の音声処理装置。
【請求項４】
前記第１チャンネル音声データが左音声データ及び右音声データであり、
前記第１チャンネルスピーカーが左スピーカー及び右スピーカーであり、
前記第２チャンネル音声データが低域音声データ又は中央音声データを含み、
前記第２チャンネルスピーカーが低域スピーカー又は中央スピーカーを含み、
前記低域スピーカー又は前記中央スピーカーを前記音声処理装置の内部に備える、請求
項１〜３のいずれかに記載の音声処理装置。
【請求項５】
請求項１に記載の音声処理装置の動作プログラムであって、
ユーザ操作に応じてダイレクトモードをオン状態又はオフ状態に設定するモード設定ス
テップと、
ユーザ操作に応じて前記第２チャンネルスピーカーの使用有無を設定するスピーカー設定ステップと、
前記第２チャンネルスピーカーの使用有無設定が使用有に設定されているか否かを判断する判断ステップと、
前記第２チャンネルスピーカーの使用有無設定が使用有に設定されていると判断された場合、前記ユーザ操作に応じてダイレクトモードがオフ状態からオン状態に設定されることを禁止する禁止ステップと、
前記第２チャンネルスピーカーの使用有無設定が使用無に設定されていると判断された場合、前記ユーザ操作に応じてダイレクトモードがオフ状態からオン状態に設定されることを許可する許可ステップとをコンピュータに実行させる、音声処理プログラム。
【請求項６】
第１チャンネル音声データが入力される入力手段と、
ユーザ操作に応じてダイレクトモードをオン状態又はオフ状態に設定するモード設定手
段と、
前記第１チャンネル音声データから、前記第１チャンネル音声データ及び第２チャンネ
ル音声データを生成する音声処理手段と、
ダイレクトモードがオン状態に設定されている場合に、前記音声処理手段による前記生
成処理が実行されず、前記第１チャンネル音声データを第１チャンネルスピーカーに出力
し、前記第２チャンネル音声データを第２チャンネルスピーカーに出力せず、ダイレクトモードがオフ状態に設定されている場合、前記音声処理手段による前記生成処理が実行され、前記第１チャンネル音声データを前記第１チャンネルスピーカーに出力し、前記第２チャンネル音声データを前記第２チャンネルスピーカーに出力する出力手段と、
ユーザ操作に応じて前記第２チャンネルスピーカーの使用有無を設定するスピーカー設定手段と、
前記第２チャンネルスピーカーの使用有無設定が使用無から使用有に変更されたか否かを判断する判断手段と、
ダイレクトモードがオン状態に設定されている際に、前記第２チャンネルスピーカーの使用有無設定が使用無から使用有に変更されたと判断された場合、ダイレクトモードをオン状態からオフ状態に設定変更させる設定制御手段とを備える、音声処理装置。
【請求項７】
請求項６に記載の音声処理装置の動作プログラムであって、
ユーザ操作に応じてダイレクトモードをオン状態又はオフ状態に設定するモード設定ス
テップと、
ユーザ操作に応じて前記第２チャンネルスピーカーの使用有無を設定するスピーカー設定ステップと、
前記第２チャンネルスピーカーの使用有無設定が使用無から使用有に変更されたか否かを判断する判断ステップと、
ダイレクトモードがオン状態に設定されている際に、前記第２チャンネルスピーカーの使用有無設定が使用無から使用有に変更されたと判断された場合、ダイレクトモードをオン状態からオフ状態に設定変更させるステップとをコンピュータに実行させる、音声処理装置プログラム。
【発明の詳細な説明】
【技術分野】
【０００１】
本発明は、ダイレクトモードを備える音声処理装置に関する。
【背景技術】
【０００２】
ＡＶアンプは、ＤＶＤプレーヤ等から複数チャンネルの音声データが入力され、これらの音声データに所定の音声処理を実行し、接続される複数のスピーカーに音声データを出力するものである。例えば、ＡＶアンプに６つのスピーカー（例えば、左スピーカー、右スピーカー、中央スピーカー、低域スピーカー、サラウンド左スピーカー、サラウンド右スピーカー）が接続されている場合に、ＡＶアンプに２ｃｈの音声データ（左音声データおよび右音声データ）が入力されると、ＡＶアンプは左音声データおよび右音声データから、ＤＳＰにおいて、これら６つのスピーカーに出力するための６ｃｈ分の音声データを生成する。その結果、ＡＶアンプに２ｃｈの音声データが入力された場合でも、６つのスピーカーから音声を再生することができる。
【０００３】
ＡＶアンプにはダイレクトモードと呼ばれるモードが設けられている。ダイレクトモードは、２ｃｈの音声データが入力された場合に、上記のＤＳＰによる６ｃｈ分の音声データを生成する処理を実行せずに、そのまま２ｃｈの音声データを増幅して左スピーカーおよび右スピーカーのみに出力するモードである。ダイレクトモードでは、中央スピーカー、低域スピーカー、サラウンド左スピーカー、およびサラウンド右スピーカーから音声を再生できないが、左スピーカーおよび右スピーカーから再生される音声の音質を向上することができる。
【０００４】
ここで、ユーザがＡＶアンプに例えば低域スピーカーを接続し、低域スピーカーからの音声の再生を所望する場合に、誤ってダイレクトモードがオン状態に設定されてしまうと、上記の理由により、低域スピーカーから音声が再生されないために、ユーザに違和感を与えるという問題が生じる。また、中央スピーカー、サラウンド左スピーカー、サラウンド右スピーカーについても同様である。
【０００５】
特に、ＡＶアンプには低域スピーカー内蔵のＡＶアンプという製品が存在する。このような製品は低域スピーカーが内蔵されているため、ユーザは低域スピーカーから音声が再生されると理解しているが、上記のようにダイレクトモードがオン状態に設定されると、低域スピーカーから音声が再生されず、上記の問題は特に顕著になる。また、最近では、左スピーカー、右スピーカー、中央スピーカー、低域スピーカー及びＡＶアンプ内蔵のＴＶラックが販売されている。このような製品においても、ダイレクトモードがオン状態に設定されると、中央スピーカー及び低域スピーカーから音声が再生されないという問題がある。
【０００６】
【特許文献１】特開２００７−５３５５３号公報
【発明の開示】
【発明が解決しようとする課題】
【０００７】
本発明は上記従来の課題を解決するためになされたものであり、その目的は、ダイレクトモードを備え、ユーザが第２チャンネルスピーカーからの音声の再生を所望する場合には、第２チャンネルスピーカーから音声を再生することができる音声処理装置を提供することである。
【課題を解決するための手段】
【０００８】
本発明の好ましい実施形態による音声処理装置は、第１チャンネル音声データが入力される入力手段と、ユーザ操作に応じてダイレクトモードをオン状態又はオフ状態に設定するモード設定手段と、前記第１チャンネル音声データから、前記第１チャンネル音声データ及び第２チャンネル音声データを生成する音声処理手段と、ダイレクトモードがオン状態に設定されている場合に、前記音声処理手段による前記生成処理が実行されず、前記第１チャンネル音声データを第１チャンネルスピーカーに出力し、ダイレクトモードがオフ状態に設定されている場合、前記音声処理手段による前記生成処理が実行され、前記第１チャンネル音声データを前記第１チャンネルスピーカーに出力し、前記第２チャンネル音声データを前記第２チャンネルスピーカーに出力する出力手段と、ユーザ操作に応じて前記第２スピーカーの使用有無を設定するスピーカー設定手段と、前記第２スピーカーの使用有無設定が使用有に設定されているか否かを判断する判断手段と、前記第２スピーカーの使用有無設定が使用有に設定されていると判断された場合、前記ユーザ操作に応じてダイレクトモードがオフ状態からオン状態に設定されることを禁止し、前記第２スピーカーの使用有無設定が使用無に設定されていると判断された場合、前記ユーザ操作に応じてダイレクトモードがオフ状態からオン状態に設定されることを許可する設定制御手段とを備える。
【０００９】
第２チャンネルスピーカーの使用有無設定が使用有に設定されており、ユーザが第２チャンネルスピーカーからの音声再生を所望する場合には、設定制御手段によって、ダイレクトモードがオン状態に設定されることが禁止される。従って、ユーザが第２チャンネルスピーカーからの音声再生を所望するにも関わらず、ダイレクトモードがオン状態に設定されたために、第２チャンネルスピーカーから音声が再生されないという問題を防止することができる。
【００１０】
好ましくは、前記音声処理装置が、ユーザ操作に応じてダイレクトモードをオン状態又はオフ状態に設定するためのダイレクトモード設定画面を表示する表示手段をさらに備え、前記第２スピーカーの使用有無設定が使用有に設定されていると判断された場合、前記設定制御手段が、前記ダイレクトモード設定画面を前記表示手段に表示させず、前記第２スピーカーの使用有無設定が使用無に設定されていると判断された場合、前記設定制御手段が、前記ダイレクトモード設定画面を前記表示手段に表示させる。
【００１１】
好ましくは、前記判断手段が、前記第２スピーカーの使用有無設定が使用無から使用有に変更されたか否かをさらに判断し、ダイレクトモードがオン状態に設定されている際に、前記第２スピーカーの使用有無設定が使用無から使用有に変更されたと判断された場合、前記設定制御手段が、ダイレクトモードをオン状態からオフ状態に設定変更させる。
【００１２】
ダイレクトモードがオン状態のときに、ユーザ操作によって第２チャンネルスピーカーの使用有無設定が使用有に変更された場合、ユーザが第２チャンネルスピーカーからの音声再生を所望するにも関わらず、第２チャンネルスピーカーから音声が再生されないことになるが、本例では、設定制御手段がダイレクトモードを自動的にオフ状態に設定することによってこの問題を解決することができる。
【００１３】
好ましくは、前記第１チャンネル音声データが左音声データ及び右音声データであり、前記第１チャンネルスピーカーが左スピーカー及び右スピーカーであり、前記第２チャンネル音声データが低域音声データ又は中央音声データを含み、前記第２チャンネルスピーカーが低域スピーカー又は中央スピーカーを含み、前記低域スピーカー又は前記中央スピーカーを前記音声処理装置の内部に備える。
【００１４】
低域スピーカー又は中央スピーカーが音声処理装置に内蔵されている場合、ダイレクトモードがオン状態に設定されているために、低域スピーカー又は中央スピーカーから音声が再生されないと、内蔵されている低域スピーカー又は中央スピーカーが無駄になってしまうので、低域スピーカー又は中央スピーカーを内蔵する場合に上記の効果が特に顕著になる。
【００１５】
本発明の別の好ましい実施形態による音声処理装置は、第１チャンネル音声データが入力される入力手段と、ユーザ操作に応じてダイレクトモードをオン状態又はオフ状態に設定するモード設定手段と、前記第１チャンネル音声データから、前記第１チャンネル音声データ及び第２チャンネル音声データを生成する音声処理手段と、ダイレクトモードがオン状態に設定されている場合に、前記音声処理手段による前記生成処理が実行されず、前記第１チャンネル音声データを第１チャンネルスピーカーに出力し、ダイレクトモードがオフ状態に設定されている場合、前記音声処理手段による前記生成処理が実行され、前記第１チャンネル音声データを前記第１チャンネルスピーカーに出力し、前記第２チャンネル音声データを前記第２チャンネルスピーカーに出力する出力手段と、ユーザ操作に応じて前記第２スピーカーの使用有無を設定するスピーカー設定手段と、前記第２スピーカーの使用有無設定が使用無から使用有に変更されたか否かを判断する判断手段と、ダイレクトモードがオン状態に設定されている際に、前記第２スピーカーの使用有無設定が使用無から使用有に変更されたと判断された場合、ダイレクトモードをオン状態からオフ状態に設定変更させる設定制御手段とを備える。
【００１６】
ダイレクトモードがオン状態のときに、ユーザ操作によって第２チャンネルスピーカーの使用有無設定が使用有に変更された場合、ユーザが第２チャンネルスピーカーからの音声再生を所望するにも関わらず、第２チャンネルスピーカーから音声が再生されないことになるが、本例では、設定制御手段がダイレクトモードを自動的にオフ状態に設定することによってこの問題を解決することができる。
【発明の効果】
【００１７】
第２チャンネルスピーカーの使用有無設定が使用有に設定されており、ユーザが第２チャンネルスピーカーからの音声再生を所望する場合には、設定制御手段によって、ダイレクトモードがオン状態に設定されることが禁止される。従って、ユーザが第２チャンネルスピーカーからの音声再生を所望するにも関わらず、誤ってダイレクトモードがオン状態に設定されたために、第２チャンネルスピーカーから音声が再生されないという問題を防止することができる。
【発明を実施するための最良の形態】
【００１８】
以下、本発明の好ましい実施形態によるＡＶアンプ１００について、図面を参照して具体的に説明するが、本発明はこれらの実施形態には限定されない。
【００１９】
図１は、本実施形態における、ＡＶアンプ１００、ディスプレイ装置２００、及び、各スピーカーの配置の一例を説明する図である（ＤＶＤプレーヤは省略している）。ＡＶアンプ１００は、低域スピーカーＳＳＷが内蔵されており、ディスプレイ装置２００、左スピーカーＳＬ、右スピーカーＳＲ、中央スピーカーＳＣ、サラウンド左スピーカーＳＳＬ、および、サラウンド右スピーカーＳＳＲが接続されている。なお、低域スピーカーＳＳＷはＡＶアンプに内蔵されておらず、ＡＶアンプ１００に外部接続されてもよい。ＡＶアンプ１００には、例えばＤＶＤプレーヤから供給される２ｃｈのアナログ又はデジタル音声データ（左音声データ及び右音声データ）が入力される。後述するダイレクトモードがオン状態に設定されている場合、左音声データ及び右音声データに基づいて、左スピーカーＳＬ及び右スピーカーＳＲからそれぞれ音声を再生する。ダイレクトモードがオフ状態に設定されている場合、左音声データ及び右音声データに基づいて、左スピーカーＳＬ、右スピーカーＳＲ、中央スピーカーＳＣ、低域スピーカーＳＳＷ、サラウンド左スピーカーＳＳＬ、および、サラウンド右スピーカーＳＳＲから音声を再生する。
【００２０】
図２は、ＡＶアンプ１００の構成を示す概略ブロック図である。なお、図２では、説明を簡単化するために、中央スピーカーＳＣ、サラウンド左スピーカーＳＳＬ、及び、サラウンド右スピーカーＳＳＲに対応する部分（ボリューム調整部や増幅処理部）は省略しているが、低域スピーカーＳＳＷに対応する部分と同様であり、説明を援用する。また、図２では、電源回路等のＡＶアンプ１００としての一般的な構成は割愛している。
【００２１】
ＡＶアンプ１００は、制御部１と、スイッチ部２、３と、ボリューム調整部４（４Ｌ，４Ｒ，４ＳＷ）と、増幅処理部５（５Ｌ，５Ｒ，５ＳＷ）と、アナログ−デジタル変換部（以下、ＡＤＣという。）６と、スイッチ部７と、デジタル信号処理部（以下、ＤＳＰという。）８と、デジタル−アナログ変換部（以下、ＤＡＣという。）１１と、変換部（以下、ＤＩＲという。）１２と、メモリ１３と、表示部１４と、操作部１５とを備える。ＤＳＰ８は、その内部に、音声処理部９とスイッチ部１０とを有する。
【００２２】
制御部１は、メモリ１３に格納されているＡＶアンプ１００の動作プログラムに基づいて、ＡＶアンプ１００の各部を制御するものであり、例えば、マイクロコンピュータやＣＰＵ等である。制御部１は、操作部１５からのユーザ操作入力または各部からの制御データに基づいて各種処理を実行する。
【００２３】
スイッチ部２は、例えばＤＶＤプレーヤ等からアナログ左音声データが入力され、アナログ左音声データをボリューム調整部４Ｌに出力するか、又は、ＡＤＣ６に出力するかを制御部１からの指示に応じて選択する。同様に、スイッチ部３は、例えばＤＶＤプレーヤ等からアナログ右音声データが入力され、アナログ右音声データをボリューム調整部４Ｒに出力するか、又は、ＡＤＣ６に出力するかを制御部１からの指示に応じて選択する。
【００２４】
ボリューム調整部４Ｌは、スイッチ部２から供給されるアナログ左音声データ、又は、ＤＡＣ１１から供給されるアナログ左音声データの音量レベルを調整し、増幅処理部５Ｌに出力する。増幅処理部５Ｌは、ボリューム調整部４Ｌから供給されるアナログ左音声データに増幅処理を実行し、外部に接続されている左スピーカーＳＬに出力する。
【００２５】
ボリューム調整部４Ｒは、スイッチ部３から供給されるアナログ右音声データ、又は、ＤＡＣ１１から供給されるアナログ右音声データの音量レベルを調整し、増幅処理部５Ｒに出力する。増幅処理部５Ｒは、ボリューム調整部４Ｒから供給されるアナログ右音声データに増幅処理を実行し、外部に接続されている右スピーカーＳＲに出力する。
【００２６】
ボリューム調整部４ＳＷは、ＤＡＣ１１から供給されるアナログ低域音声データの音量レベルを調整し、増幅処理部５ＳＷに出力する。増幅処理部５ＳＷは、ボリューム調整部４ＳＷから供給されるアナログ低域音声データに増幅処理を実行し、内蔵されている低域スピーカーＳＳＷに出力する。
【００２７】
ＡＤＣ６は、スイッチ部２から供給されるアナログ左音声データ、及び、スイッチ部３から供給されるアナログ右音声データを例えばＩ２Ｓ（ｔｈｅ  Ｉｎｔｅｒ−ＩＣ 
Ｓｏｕｎｄ  ｂｕｓ）形式のデジタル音声データ（デジタル左音声データおよびデジタル右音声データ）に変換し、スイッチ部７のノード７ａに出力する。
【００２８】
ＤＩＲ１２は、例えばＤＶＤプレーヤ等から２ｃｈのデジタル音声データ（左デジタル音声データ及び右デジタル音声データ、例えばＳＰＤＩＦ（Ｓｏｎｙ／Ｐｈｉｌｉｐｓ  Ｄｉｇｉｔａｌ 
ＩｎｔｅｒＦａｃｅ）形式）が入力され、ＳＰＤＩＦ形式をＩ２Ｓ形式のデジタル音声データに変換する。ＤＩＲ１２は、変換したＩ２Ｓ形式のデジタル音声データをスイッチ部７のノード７ｂに出力する。
【００２９】
スイッチ部７は、ＡＤＣ６から供給されるデジタル音声データ、及び、ＤＩＲ１２から供給されるデジタル音声データの中から、制御部１からの指示に応じて、１つのデジタル音声データを選択し、ＤＳＰ８の音声処理部９およびスイッチ部１０に出力する。
【００３０】
音声処理部９は、スイッチ部７から供給される２ｃｈのデジタル音声データに基づいて、例えば、左音声データ、右音声データ、中央音声データ、低域音声データ、サラウンド左音声データ、サラウンド右音声データを含む６ｃｈのデジタル音声データを生成し、スイッチ部１０のノード１０ａに出力する。また、必要に応じて、音声処理部９は、上記のデジタル音声データに対して、ユーザ操作によって選択されたリスニングモードに対応する所定の音声処理（例えば、信号処理、遅延処理、イコライザ処理等）を実行してもよい。
【００３１】
スイッチ部１０は、制御部１からの指示に応じて、スイッチ部７から音声処理部９を介さずに供給される２ｃｈのデジタル音声データ、及び、音声処理部９から供給される６ｃｈのデジタル音声データの中から、１つのデジタル音声データを選択し、ＤＡＣ１１に出力する。
【００３２】
ＤＡＣ１１は、ＤＳＰ８のスイッチ部１０から供給されたデジタル音声データをアナログ音声データにデジタル−アナログ変換し、ボリューム調整部４に出力する。スイッチ部１０がノード１０ｂを選択しており、２ｃｈのデジタル音声データがＤＡＣ１１に供給される場合、ＤＡＣ１１はアナログ左音声データをボリューム調整部４Ｌに、アナログ右音声データをボリューム調整部４Ｒに出力する。一方、スイッチ部１０がノード１０ａを選択しており、６ｃｈのデジタル音声データがＤＡＣ１１に供給される場合、ＤＡＣ１１はアナログ左音声データをボリューム調整部４Ｌに、アナログ右音声データをボリューム調整部４Ｒに、アナログ低域音声データをボリューム調整部４ＳＷに出力する（なお、同様に、ＤＡＣ１１はアナログ中央音声データ、アナログサラウンド左音声データ、アナログサラウンド右音声データもそれぞれ対応するボリューム調整部４に出力する）。
【００３３】
ＡＶアンプ１００にはダイレクトモードと呼ばれるモードが設けられている。ダイレクトモードは、２ｃｈのアナログ音声データ又はデジタル音声データが入力された場合に、音声処理部９によって６ｃｈのデジタル音声データを生成し６ｃｈの音声を再生するのではなく、２ｃｈの音声データを音声処理部９で処理せずに、左スピーカーＳＬおよび右スピーカーＳＲのみに直接出力するモードである。ダイレクトモードでは、中央スピーカーＳＣ、低域スピーカーＳＳＷ、サラウンド左スピーカーＳＳＬ、およびサラウンド左スピーカーＳＳＲから音声が再生できないが、左スピーカーＳＬおよび右スピーカーＳＲから再生される音声の音質を向上できる（音質向上とは、例えばノイズや歪みを低減することである）。
【００３４】
ダイレクトモードをオン状態にするか、又は、オフ状態にするかは、ユーザ操作によって設定され、その設定内容がメモリ１３に保存される。ダイレクトモードを設定する場合、例えば図３に示すようなダイレクトモード設定画面が表示部１４に表示され、ユーザ操作によってオン状態またはオフ状態に設定可能になっている。図３（ａ）はダイレクトモードがオン状態に設定された場合を、図３（ｂ）はダイレクトモードがオフ状態に設定された場合を示している。
【００３５】
また、ＡＶアンプ１００にはスピーカーの使用有無の設定が設けられている。例えば、図４に示すように、低域スピーカーＳＳＷの使用有無の設定画面が表示部１４に表示される。低域スピーカーＳＳＷの使用をユーザが所望する場合には、図４（ａ）のようにユーザ操作によって「ＹＥＳ（使用有）」に設定され、低域スピーカーＳＳＷの使用をユーザが所望しない場合には、図４（ｂ）に示すようにユーザ操作によって「ＮＯ（使用無）」に設定される。なお、設定内容はメモリ１３に保存され、ディスタンス設定、遅延時間の設定、信号処理設定などの各種の処理に使用される。
【００３６】
本実施形態では、低域スピーカーＳＳＷの使用有無の設定が「ＹＥＳ」に設定されている場合に、制御部１は、図３に示すダイレクトモードの設定画面を表示部１４に表示させないことにより、ユーザ操作によってダイレクトモードがオフ状態からオン状態に設定されることを禁止する。これにより、ユーザが低域スピーカーＳＳＷからの音声再生を所望する場合には、ダイレクトモードがオン状態に設定されないことによって、誤ってダイレクトモードがオン状態に設定され低域スピーカーＳＳＷから音声が再生されないことを防止することができる。なお、ダイレクトモードの設定画面を表示部に表示させないのではなく、ダイレクトモードの設定画面をグレイアウト（通常の表示と異なる色で表示し、設定禁止を告知すること）で表示してもよい。
【００３７】
一方、低域スピーカーＳＳＷの使用有無の設定が「ＮＯ」に設定されている場合に、制御部１は、図３に示すダイレクトモードの設定画面を表示部に表示させることにより、ユーザ操作によってダイレクトモードがオン状態に設定されることを許可する。これにより、ユーザが低域スピーカーからの音声再生を所望せず、ダイレクトモードでの音声再生を所望する場合には、ダイレクトモードがオン状態に設定されることによって、ダイレクトモードで左スピーカーＳＬ及び右スピーカーＳＲのみから音声を再生することができる。
【００３８】
また、ダイレクトモードがオン状態に設定されている場合、ユーザ操作によって、低域スピーカーＳＳＷの使用有無の設定が「ＮＯ」から「ＹＥＳ」に変更された場合、制御部１は、ダイレクトモードを自動的にオン状態からオフ状態に設定変更することによって、低域スピーカーＳＳＷから音声が再生される状態に制御する。
【００３９】
以上の構成を有するＡＶアンプ１００についてその動作を説明する。まずは、図２を参照し、ダイレクトモードがオン状態、オフ状態それぞれの場合における、音声データの処理について説明する。
［ダイレクトモードがオン状態であり、アナログ左音声データ及びアナログ右音声データが入力される場合］
制御部１からの指示によって、スイッチ部２がボリューム調整部４Ｌ側（ノード２ａ）を選択し、スイッチ部３がボリューム調整部４Ｒ側（ノード３ａ）を選択する。その結果、入力されるアナログ左音声データは、スイッチ部２を介してボリューム調整部４Ｌに供給される。ボリューム調整部４Ｌは、アナログ左音声データの音量レベルを調整し、増幅処理部５Ｌに供給する。増幅処理部５Ｌは、供給されたアナログ左音声データを増幅処理して、左スピーカー端子を介して、外部に接続されている左スピーカーＳＬに出力する。また、入力されるアナログ右音声データは、スイッチ部３を介してボリューム調整部４Ｒに供給される。ボリューム調整部４Ｒは、アナログ右音声データの音量レベルを調整し、増幅処理部５Ｒに供給する。増幅処理部５Ｒは、供給されたアナログ右音声データを増幅処理して、右スピーカー端子を介して、外部に接続されている右スピーカーＳＲに出力する。その結果、低域スピーカーＳＳＷから音声が再生されないが、音声データは音声処理部９によって処理されないので、高音質の音声を左スピーカーＳＬ及び右スピーカーＳＲから再生することができる。
【００４０】
［ダイレクトモードがオフ状態であり、アナログ左音声データ及びアナログ右音声データが入力される場合］
制御部１からの指示によって、スイッチ部２がＡＤＣ６側（ノード２ｂ）を選択し、スイッチ部３がＡＤＣ６側（ノード３ｂ）を選択する。その結果、入力されるアナログ左音声データはスイッチ部２を介してＡＤＣ６に供給され、入力されるアナログ右音声データはスイッチ部３を介してＡＤＣ６に供給される。ＡＤＣ６は、アナログ左音声データ及びアナログ右音声データをＩ２Ｓ形式のデジタル音声データに変換し、スイッチ部７のノード７ａに出力する。
【００４１】
スイッチ部７は、制御部１からの指示によって、ＡＤＣ６側（ノード７ａ）を選択する。その結果、スイッチ部７は、ＡＤＣ６から供給されたデジタル音声データをＤＳＰ８の音声処理部９およびスイッチ部１０に出力する。音声処理部９は、供給された２ｃｈのデジタル音声データ（デジタル左音声データ及びデジタル右音声データ）から、６ｃｈのデジタル音声データ（デジタル左音声データ、デジタル右音声データ、デジタル中央音声データ、デジタル低域音声データ、デジタルサラウンド左音声データ、デジタルサラウンド右音声データ）を生成し、スイッチ部１０のノード１０ａに出力する。
【００４２】
スイッチ部１０は、制御部１からの指示によって、音声処理部９側（ノード１０ａ）を選択する。その結果、スイッチ部１０は、音声処理部９から供給された６ｃｈのデジタル音声データをＤＡＣ１１に出力する。ＤＡＣ１１は、スイッチ部１０から供給された６ｃｈのデジタル音声データを６ｃｈのアナログ音声データ（アナログ左音声データ、アナログ右音声データ、アナログ中央音声データ、アナログ低域音声データ、アナログサラウンド左音声データ、アナログサラウンド右音声データ）に変換し、ボリューム調整部４に出力する。例えば、アナログ左音声データがボリューム調整部４Ｌに、アナログ右音声データがボリューム調整部４Ｒに、アナログ低域音声データがボリューム調整部４ＳＷに出力される。
【００４３】
ボリューム調整部４Ｌは、アナログ左音声データの音量レベルを調整し、増幅処理部５Ｌに供給する。増幅処理部５Ｌは、供給されたアナログ左音声データを増幅処理して、左スピーカー端子を介して、外部に接続されている左スピーカーＳＬに出力する。ボリューム調整部４Ｒは、アナログ右音声データの音量レベルを調整し、増幅処理部５Ｒに供給する。増幅処理部５Ｒは、供給されたアナログ右音声データを増幅処理して、右スピーカー端子を介して、外部に接続されている右スピーカーＳＲに出力する。ボリューム調整部４ＳＷは、アナログ低域音声データの音量レベルを調整し、増幅処理部５ＳＷに供給する。増幅処理部５ＳＷは、供給されたアナログ低域音声データを増幅処理して、内蔵されている低域スピーカーＳＳＷに出力する。なお、中央スピーカーＳＣ、サラウンド左スピーカーＳＳＬ、サラウンド左スピーカーＳＳＲからも同様に音声が再生される。この結果、左スピーカーＳＬ及び右スピーカーＳＲから再生される音声の音質が劣化するものの、低域スピーカーＳＳＷや他のスピーカーからも音声を再生することができる。
【００４４】
［ダイレクトモードがオン状態であり、デジタル左音声データ及びデジタル右音声データが入力される場合］
ＤＩＲ１２は、入力されるＳＰＤＩＦ形式の２ｃｈのデジタル音声データをＩ２Ｓ形式のデジタル音声データに変換し、スイッチ部７のノード７ｂに出力する。スイッチ部７は、制御部１からの指示によって、ＤＩＲ１２側（ノード７ｂ）を選択する。その結果、スイッチ部７は、ＤＩＲ１２から供給されたデジタル音声データをＤＳＰ８の音声処理部９およびスイッチ部１０のノード１０ｂに出力する。
【００４５】
スイッチ部１０は、制御部１からの指示によって、スイッチ部７側（ノード１０ｂ）を選択する。その結果、スイッチ部１０は、スイッチ部７から供給された２ｃｈのデジタル音声データをＤＡＣ１１に出力する。ＤＡＣ１１は、スイッチ部１０から供給された２ｃｈのデジタル音声データを２ｃｈのアナログ音声データ（アナログ左音声データ、アナログ右音声データ）に変換し、ボリューム調整部４に出力する。つまり、アナログ左音声データがボリューム調整部４Ｌに、アナログ右音声データがボリューム調整部４Ｒに出力される。
【００４６】
ボリューム調整部４Ｌは、アナログ左音声データの音量レベルを調整し、増幅処理部５Ｌに供給する。増幅処理部５Ｌは、供給されたアナログ左音声データを増幅処理して、左スピーカー端子を介して、外部に接続されている左スピーカーＳＬに出力する。ボリューム調整部４Ｒは、アナログ右音声データの音量レベルを調整し、増幅処理部５Ｒに供給する。増幅処理部５Ｒは、供給されたアナログ右音声データを増幅処理して、右スピーカー端子を介して、外部に接続されている右スピーカーＳＲに出力する。その結果、低域スピーカーＳＳＷから音声が再生されないが、音声データは音声処理部９によって処理されないので、高音質の音声を左スピーカーＳＬ及び右スピーカーＳＲから再生することができる。
【００４７】
［ダイレクトモードがオフ状態であり、デジタル左音声データ及びデジタル右音声データが入力される場合］
ＤＩＲ１２は、入力されるＳＰＤＩＦ形式の２ｃｈのデジタル音声データをＩ２Ｓ形式のデジタル音声データに変換し、スイッチ部７のノード７ｂに出力する。スイッチ部７は、制御部１からの指示によって、ＤＩＲ１２側（ノード７ｂ）を選択する。その結果、スイッチ部７は、ＤＩＲ１２から供給されたデジタル音声データをＤＳＰ８の音声処理部９およびスイッチ部１０のノード１０ｂに出力する。音声処理部９は、供給された２ｃｈのデジタル音声データ（デジタル左音声データ及びデジタル右音声データ）から、６ｃｈのデジタル音声データ（デジタル左音声データ、デジタル右音声データ、デジタル中央音声データ、デジタル低域音声データ、デジタルサラウンド左音声データ、デジタルサラウンド右音声データ）を生成し、スイッチ部１０のノード１０ａに出力する。
【００４８】
スイッチ部１０は、制御部１からの指示によって、音声処理部９側（ノード１０ａ）を選択する。その結果、スイッチ部１０は、音声処理部９から供給された６ｃｈのデジタル音声データをＤＡＣ１１に出力する。ＤＡＣ１１は、スイッチ部１０から供給された６ｃｈのデジタル音声データを６ｃｈのアナログ音声データ（アナログ左音声データ、アナログ右音声データ、アナログ中央音声データ、アナログ低域音声データ、アナログサラウンド左音声データ、アナログサラウンド右音声データ）に変換し、ボリューム調整部４に出力する。例えば、アナログ左音声データがボリューム調整部４Ｌに、アナログ右音声データがボリューム調整部４Ｒに、アナログ低域音声データがボリューム調整部４ＳＷに出力される。
【００４９】
ボリューム調整部４Ｌは、アナログ左音声データの音量レベルを調整し、増幅処理部５Ｌに供給する。増幅処理部５Ｌは、供給されたアナログ左音声データを増幅処理して、左スピーカー端子を介して、外部に接続されている左スピーカーＳＬに出力する。ボリューム調整部４Ｒは、アナログ右音声データの音量レベルを調整し、増幅処理部５Ｒに供給する。増幅処理部５Ｒは、供給されたアナログ右音声データを増幅処理して、右スピーカー端子を介して、外部に接続されている右スピーカーＳＲに出力する。ボリューム調整部４ＳＷは、アナログ低域音声データの音量レベルを調整し、増幅処理部５ＳＷに供給する。増幅処理部５ＳＷは、供給されたアナログ低域音声データを増幅処理して、内蔵されている低域スピーカーＳＳＷに出力する。なお、中央スピーカーＳＣ、サラウンド左スピーカーＳＳＬ、サラウンド左スピーカーＳＳＲからも同様に音声が再生される。この結果、左スピーカーＳＬ及び右スピーカーＳＲから再生される音声の音質が劣化するものの、低域スピーカーＳＳＷからも音声を再生することができる。
【００５０】
次に、ダイレクトモードの設定画面の表示処理などについて説明する。
［ユーザ操作によって設定画面の表示指示が入力される際の処理］
図５は、制御部１の処理を示すフローチャートである。制御部１は、ユーザ操作によって各種設定を実行するための設定画面を表示部１４に表示する指示が入力されたか否かを監視している（Ｓ１１）。設定画面の表示指示が入力された場合（Ｓ１１でＹＥＳ）、制御部１は、低域スピーカーＳＳＷの使用有無設定が「ＹＥＳ（使用有）」に設定されているか否かをメモリ１３に保存されている設定内容を参照して判断する（Ｓ１２）。
【００５１】
低域スピーカーＳＳＷの使用有無設定が「ＮＯ（使用無）」に設定されていると判断された場合（Ｓ１２でＮＯ）、制御部１は、図３に示すように、ダイレクトモードの設定画面を表示部１４に表示させる（Ｓ１３）。従って、ユーザは、ダイレクトモードをオン状態又はオフ状態に設定することができる。ユーザ操作によって、ダイレクトモードがオン状態に設定する指示が入力されると、制御部１は、ダイレクトモードをオン状態に設定することにより、上記で説明した通り、ダイレクトモードがオン状態で音声を再生する。一方、ユーザ操作によって、ダイレクトモードがオフ状態に設定する指示が入力されると、制御部１は、ダイレクトモードをオフ状態に設定することにより、上記で説明した通り、ダイレクトモードがオフ状態で音声を再生する（Ｓ１４）。
【００５２】
一方、低域スピーカーＳＳＷの使用有無設定が「ＹＥＳ（使用有）」に設定されていると判断された場合（Ｓ１２でＹＥＳ）、制御部１は、図３に示すようなダイレクトモードの設定画面を表示部１４に表示させない、もしくは、グレイアウトすることによって、ダイレクトモードのオン状態への設定を禁止する。すなわち、ユーザが低域スピーカーを使用する意思がある場合には、ユーザ操作によって、ダイレクトモードがオフ状態からオン状態に変更することができないようになる。その結果、低域スピーカーＳＳＷから音声再生を所望する場合に、誤ってダイレクトモードがオン状態に設定されたために、低域スピーカーＳＳＷから音声が再生されないことを防止することができる。
【００５３】
［低域スピーカーＳＳＷの使用有無設定が変更された場合の処理］
図６は、制御部１の処理を示すフローチャートである。制御部１は、ダイレクトモードがオン状態に設定されているか否かをメモリ１３に保存されている設定内容を参照して判断する（Ｓ２１）。ダイレクトモードがオフ状態に設定されている場合（Ｓ２１でＮＯ）、処理を終了する。
【００５４】
一方、ダイレクトモードがオン状態に設定されている場合（Ｓ２１でＹＥＳ）、制御部１は、ユーザ操作によって、低域スピーカーＳＳＷの使用有無設定が「ＮＯ」から「ＹＥＳ」に変更されたか否かを判断する（Ｓ２２）。低域スピーカーＳＳＷの使用有無設定が「ＮＯ」から「ＹＥＳ」に変更されない場合（Ｓ２２でＮＯ）、処理を終了する。低域スピーカーＳＳＷの使用有無設定が「ＮＯ」から「ＹＥＳ」に変更された場合（Ｓ２２でＹＥＳ）、制御部１は、ダイレクトモードをオン状態からオフ状態に自動的に設定を変更する（Ｓ２３）。ダイレクトモードがオン状態の時に、ユーザが低域スピーカーＳＳＷからの音声の再生を希望し、低域スピーカーＳＳＷの使用有無設定を「ＹＥＳ」に設定しても、ダイレクトモードがオン状態であるために、低域スピーカーＳＳＷから音声が再生されない。また、ユーザがダイレクトモードの設定に気付いて、ダイレクトモードの設定をオン状態からオフ状態に変更する必要がある。しかし、本例によると、ダイレクトモードがオン状態のときに、低域スピーカーＳＳＷの使用有無設定が「ＹＥＳ」に変更されると、自動的にダイレクトモードがオン状態からオフ状態に変更されるので、低域スピーカーＳＳＷから音声が再生されないという問題を防止できる。さらにユーザ操作によって、ダイレクトモードをオフ状態に変更する必要がない。
【００５５】
以上のように、低域スピーカーＳＳＷが内蔵されているＡＶアンプ１００において、ユーザが低域スピーカーＳＳＷからの音声再生を希望するにも関わらず、ダイレクトモードがオン状態に設定されているために、低域スピーカーＳＳＷから音声が再生されないという問題を防止できる。なお、低域スピーカーＳＳＷが内蔵されておらず、ＡＶアンプ１００に外部接続される場合も同様であるが、低域スピーカー内蔵アンプにおいては効果が顕著である。
【００５６】
［別の実施形態］
上記の実施形態では、低域スピーカーＳＳＷの使用有無設定が「ＹＥＳ」のときにダイレクトモードの設定画面が表示されないようにしたが、本例では、ＡＶアンプ１００が中央スピーカーＳＣの使用有無設定が可能であり、中央スピーカーＳＣの使用有無設定が「ＹＥＳ」のときにダイレクトモードの設定画面が表示されず、中央スピーカーＳＣの使用有無設定が「ＮＯ」のときにダイレクトモードの設定画面が表示されるようにする。なお、制御部１の処理や設定画面は、上記実施形態において、低域スピーカーＳＳＷを中央スピーカーＳＣに置き換えたものになるので、説明を割愛する。本例は、例えば、ＡＶアンプ及び左スピーカーＳＬ、右スピーカーＳＲ、中央スピーカーＳＣを備えるＴＶラック等に好適に適用することができる。また、同様に、サラウンド左スピーカーＳＳＬ及び／又はサラウンド左スピーカーＳＳＲの使用有無設定が「ＹＥＳ」のときにダイレクトモードの設定画面が表示されないようにしてもよい。
【００５７】
以上、本発明の好ましい実施形態を説明したが、本発明はこれらの実施形態には限定されない。例えば、ダイレクトモードをオフ状態からオン状態に設定することを禁止する方法として、ＡＶアンプ１００の筐体又はリモコンにダイレクトモードのオン状態／オフ状態を切り換えるボタンが設けられる場合には、当該ボタンが押されてもダイレクトモードをオン状態に切り換えないようにし、その旨を表示部に告知してもよい。ダイレクトモードがオフ状態のときに、音声処理部９が６ｃｈではなく、３ｃｈのデジタル音声データ（左音声データ、右音声データ、低域音声データ）又は７ｃｈ以上の音声データを生成してもよい。また、そのデジタル音声データは、Ｉ２Ｓ形式に限定されない。また、表示部１４は、ダイレクトモード設定画面やスピーカー設定画面をディスプレイ装置２００にＯＳＤ（オンスクリーンディスプレイ）表示するＯＳＤ出力部であってもよい。また、入力される音声データは、ＤＶＤプレーヤからの音声データに限定されず、その他のソース機器からの音声データやＴＶ信号に含まれる音声データでもよい。また、本発明は、ＡＶアンプだけではなく、ディスプレイ装置やゲーム機などにも適用可能である。また、ＡＶアンプ１００の上記動作をコンピュータに実行させるためのプログラムおよびこれを記録した記録媒体という形態で提供されてもよい。また、ＡＶアンプの上記動作の一部のみのプログラムを、ＡＶアンプにファームウェアアップデートという形態で提供されてもよい。さらには、ＡＶアンプの上記動作の一部のみのプログラムが格納された制御部などの電子部品という形態で提供されてもよい。
【産業上の利用可能性】
【００５８】
本発明は、ＡＶアンプ等のオーディオ機器に好適に採用され得る。
【図面の簡単な説明】
【００５９】
【図１】ＡＶアンプ１００と、スピーカーとの配置を説明する図である。
【図２】ＡＶアンプ１００の構成を示すブロック図である。
【図３】ダイレクトモード設定画面を示す図である。
【図４】低域スピーカーの使用有無設定画面を示す図である。
【図５】制御部１の処理を示すフローチャートである。
【図６】制御部１の処理を示すフローチャートである
【符号の説明】
【００６０】
１００          ＡＶアンプ
１              制御部
２              スイッチ部
３              スイッチ部
４              ボリューム調整部
５              増幅処理部
６              ＡＤＣ
７              スイッチ部
８              ＤＳＰ
９              音声処理部
１０            スイッチ部
１１            ＤＡＣ
１２            ＤＩＲ
１３            メモリ
１４            表示部
１５            操作部
【図１】
0004982909.tif 000002
【図２】
0004982909.tif 000003
【図３】
0004982909.tif 000004
【図４】
0004982909.tif 000005
【図５】
0004982909.tif 000006
【図６】
0004982909.tif 000007